(57)【要約】【課題】複数の映像音声表示装置がある映像音声信号伝送システムに於いて、全映像音声表示装置が「ＴＶ」としてＣＥＣの動作を振舞い、映像音声表示装置同士でもＣＥＣのコマンド送受信が行えるシステムを提供する。【解決手段】映像音声中継表示装置１１１は、第１の映像音声信号送信装置１２１や第２の映像音声信号送信装置１２２との間で構築した、映像音声中継表示装置１１１が頂点のリアルＣＥＣネットワークの情報を元に、映像音声受信表示装置１１２を頂点としたバーチャルＣＥＣネットワーク情報を生成する。バーチャルＣＥＣネットワークの構築時には、生成したバーチャルＣＥＣネットワーク情報を元に、映像音声中継表示装置１１１が、仮想的に第１の映像音声信号送信装置１２１や第２の映像音声信号送信装置１２２として動作し、かつ自身は中継装置であるかのようにネットワークの構築処理を行う。【選択図】図４
2012070231.tif 000002
【特許請求の範囲】
【請求項１】
ＨＤＭＩ規格に準拠した伝送路を介して映像音声信号送信装置と他の映像音声表示装置とに接続され、ＣＥＣ規格に準じた制御を実行する映像音声表示装置であって、
自装置と前記映像音声信号送信装置とで構築されるＣＥＣネットワークであるリアルＣＥＣネットワークを構築するリアルＣＥＣネットワーク情報を保存管理するリアルＣＥＣネットワーク情報管理部と、
前記リアルネットワークと前記他の映像音声表示装置とで構築されるＣＥＣネットワークであるバーチャルＣＥＣネットワークにおいて用いられ、前記リアルＣＥＣネットワークを構築するリアルＣＥＣネットワーク情報に紐付けされたバーチャルＣＥＣネットワーク情報を保存管理するバーチャルＣＥＣネットワーク情報管理部と
前記リアルＣＥＣネットワークおよび前記バーチャルＣＥＣネットワークにおける「ＣＥＣ信号」の処理を行うＨＤＭＩ‐ＣＥＣ処理部とを備え、
前記ＨＤＭＩ‐ＣＥＣ処理部は、前記バーチャルネットワークにおける前記他の映像音声表示装置からのコマンドに対して、自装置を動作させる場合はバーチャルＣＥＣネットワーク情報を用いて処理し、前記映像音声信号送信装置を動作させる場合はリアルＣＥＣネットワーク情報を用いて処理する映像音声表示装置。
【請求項２】
前記バーチャルＣＥＣネットワーク格納部に格納する情報は、前記リアルＣＥＣネットワーク情報管理部に保存管理されている情報を、前記他の映像音声表示装置を中心としたＣＥＣネットワーク情報に反映させて生成された情報であることを特徴とした、請求項１に記載の映像音声表示装置。
【請求項３】
前記ＨＤＭＩ‐ＣＥＣ処理部は、前記リアルＣＥＣネットワークおよび前記バーチャルＣＥＣネットワークのいずれか一方のＣＥＣネットワーク上の装置から他方のＣＥＣネットワーク上の装置宛へのＣＥＣコマンドによる制御信号を検出した場合、自装置が送信元の装置であることを送信することを特徴とする請求項１に記載の映像音声表示装置。
【請求項４】
ＨＤＭＩ規格に準拠した伝送路を介して映像音声信号送信装置と他の映像音声表示装置とに接続され、ＣＥＣ規格に準じた制御を実行する映像音声表示装置に用いられる制御方法であって、
前記映像音声信号送信装置との間で自装置を中心としたリアルＣＥＣ  ネットワークを構築し、リアルＣＥＣネットワーク上に存在する全ての装置のリアルＣＥＣネットワーク情報を取得するステップと、
前記他の映像音声表示装置を中心としたバーチャルＣＥＣネットワーク上における自装置のＣＥＣネットワーク情報を取得するステップと、
前記取得したバーチャルＣＥＣネットワーク上における自装置のＣＥＣネットワーク情報と、前記取得したリアルＣＥＣネットワーク情報とを組み合わせてバーチャルＣＥＣネットワーク情報を生成し、バーチャルＣＥＣネットワーク上でリアルＣＥＣネットワーク上の装置を表現するためのバーチャルＣＥＣネットワーク情報を生成するステップと、
前記バーチャルネットワークにおける前記他の映像音声表示装置からのコマンドに対して、自装置を動作させる場合はバーチャルＣＥＣネットワーク情報を用いて処理し、前記映像音声信号送信装置を動作させる場合はリアルＣＥＣネットワーク情報を用いて処理するステップと、を含む制御方法。
【請求項５】
ＨＤＭＩ規格に準拠した伝送路を介して映像音声信号送信装置と他の映像音声表示装置とに接続され、ＣＥＣ規格に準じた制御を実行する映像音声表示装置に用いられる集積回路であって、
前記映像音声信号送信装置との間で自装置を中心としたリアルＣＥＣネットワークを構築し、リアルＣＥＣネットワーク上に存在する全ての装置のリアルＣＥＣネットワーク情報を取得するステップと、
前記他の映像音声表示装置を中心としたバーチャルＣＥＣネットワーク上における自装置のＣＥＣネットワーク情報を取得するステップと、
前記取得したバーチャルＣＥＣネットワーク上における自装置のＣＥＣネットワーク情報と、前記取得したリアルＣＥＣネットワーク情報とを組み合わせてバーチャルＣＥＣネットワーク情報を生成し、バーチャルＣＥＣネットワーク上でリアルＣＥＣネットワーク上の装置を表現するためのバーチャルＣＥＣネットワーク情報を生成するステップと、
前記バーチャルネットワークにおける前記他の映像音声表示装置からのコマンドに対して、自装置を動作させる場合はバーチャルＣＥＣネットワーク情報を用いて処理し、前記映像音声信号送信装置を動作させる場合はリアルＣＥＣネットワーク情報を用いて処理するステップと、を実行させる集積回路。
【発明の詳細な説明】
【技術分野】
【０００１】
本発明は、１つの伝送システム内に複数台の映像音声表示装置が接続されることが想定されるシステムでＣＥＣによる機器間相互制御を行う映像音声中継表示装置およびその制御方法、集積回路に関するものである。
【背景技術】
【０００２】
映像音声信号伝送規格の１つとして、デジタル化された映像音声データを伝送する規格のＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）が普及している（例えば非特許文献１参照）。
【０００３】
ＨＤＭＩ規格に準拠したＨＤＭＩケーブルの中には、映像音声のデジタル信号を伝送するＴＭＤＳ(Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ)ラインや、映像音声表示装置側の情報を伝送するＤＤＣ（Ｄｉｓｐｌａｙ  Ｄａｔａ  Ｃｈａｎｎｅｌ）ライン、接続した機器同士が相互に制御しあうためのコマンドをやりとりするＣＥＣ（Ｃｏｎｓｕｍｅｒ  Ｅｌｅｃｔｏｒｏｎｉｃｓ  Ｃｏｎｔｒｏｌ）ラインが存在する。以後、ＨＤＭＩケーブル内の信号を全てまとめて、ＨＤＭＩ信号と呼ぶ。
【０００４】
また、以後、ＨＤＭＩケーブルで接続された機器で構築する映像音声信号伝送システムのことをＨＤＭＩシステムと呼び、ＨＤＭＩシステム内でＣＥＣラインを利用した相互制御するＣＥＣコマンドをやりとりする機能のことをＣＥＣ機能と呼ぶ。
【０００５】
また、ＨＤＭＩ規格に準拠したケーブルに於いて、ＴＭＤＳラインを流れるデジタルの映像音声信号には流れがあり、一方向（すなわち、映像音声信号送信装置の出力側から映像音声表示装置の入力側への方向）に向かって流れる。以後、本デジタルの映像音声信号の流れの事をＴＭＤＳストリームと呼ぶ。また、装置から見て、ＴＭＤＳストリームのベクトルに対して、同一方向を下流、逆方向を上流と呼ぶこととする。
【０００６】
ＨＤＭＩケーブルで接続された全機器のうち、ＣＥＣ機能を利用して相互制御する機器は全て、ＣＥＣ機能を行うためのネットワークを構築する必要がある。以後、本ネットワークのことをＣＥＣネットワークと呼ぶ。
【０００７】
ＣＥＣネットワークでは、映像音声表示装置（たとえばＴＶ（Ｔｅｌｅｖｉｓｉｏｎ））を中心としたバス型のネットワークになっており、論理アドレスと物理アドレスと呼ばれる２種類のアドレスを用いて、接続された機器の種類と場所を互いに認識し合っている。そのため、論理アドレスや物理アドレスは、各機器を識別するために、１つのＣＥＣネットワーク上で割り当てられる値は、基本的に各機器固有の値となるよう決められている。
【０００８】
図１０に物理アドレスのイメージ図を示す。図１０に示すように、物理アドレスは、各機器がＣＥＣネットワーク上のどの場所にあるかを示しており、映像音声表示装置を頂点として最大４段で各段１６個までの場所を示すことが可能である。すなわち、物理アドレスを［１段目．２段目．３段目．４段目］と表現したとき、映像音声表示装置は［０．０．０．０］であり、最大［Ｆ．Ｆ．Ｆ．Ｆ]までの場所を示すことが可能である。
【０００９】
複数台の映像音声表示装置があるＨＤＭＩシステムの場合、物理アドレスの頂点が複数個できてしまうため、映像音声信号送信装置に一意的に物理アドレスを決定することがで
きない場合がある。例えば、図１１に複数台の映像音声表示装置があるＨＤＭＩシステムにおける物理アドレスのイメージ図を示す。
【００１０】
図１１（ａ）に示すように映像音声信号送信装置２１が、映像音声表示装置１２と接続され、更に映像音声表示装置１２と映像音声表示装置１１と接続されている場合、図１１（ｂ）に示すような、映像音声表示装置１２を頂点とした物理アドレス空間では映像音声信号送信装置２１は［１．０．０．０］が設定されるが、図１１（ｃ）に示すような、映像音声表示装置１１を頂点とした物理アドレス空間では、映像音声信号送信装置２１は［１．１．０．０］と設定されることになるため、両装置を「ＴＶ」としてＨＤＭＩシステム内でＣＥＣ機能を利用したい場合、物理アドレスを一意に定めることができない（定まらない）。
【００１１】
続いて、論理アドレスの一覧を図１２に示す。論理アドレスは機器のカテゴリーを表し、例えば、「ＴＶ」、「Ｐｌａｙｂａｃｋ  Ｄｅｖｉｃｅ（以後、ＰＤ）」などを１６進数１桁のＩＤ（すなわち０ｘ０から０ｘＦまで（ｘは１６進数である旨を表す））で管理する。
【００１２】
ここで、図１２に示すように、論理アドレスは各カテゴリー毎にＩＤが固定されており、「ＴＶ」ならば０ｘ０の１個のみ、「ＰＤ」ならば０ｘ４、０ｘ８、０ｘＢの３個のみと数が限られている（すなわち、ＣＥＣネットワークで自装置が「ＴＶ」であるという宣言をすることができる機器は１台まで、「ＰＤ」として宣言できる機器は３台までという制約がある）。なお、映像音声表示装置は「ＴＶ」に当たる。
【００１３】
つまり、１つのＨＤＭＩシステム内で複数の映像音声表示装置がある場合、１台は「ＴＶ」という論理アドレス（０ｘ０）を自装置の論理アドレスとして取得できるが、残りの映像音声表示装置は「ＴＶ」という論理アドレスを取得できない。
【００１４】
前述の論理アドレスや物理アドレスの制約により、複数の映像音声表示装置が存在する空間（例えば車内空間では、ナビゲーションシステムやリアディスプレイなど複数の映像音声表示装置が存在する空間となる）に於いて、全映像音声表示装置を「ＴＶ」として振舞わせることが困難である。
【００１５】
このような困難に対して、複数の映像音声表示装置が混在するＨＤＭＩシステムを無線などで中継し、中継装置により物理アドレスの変換操作を行う方法が提案されている（例えば特許文献１）。
【００１６】
すなわち、映像音声信号送信装置を、無線でＨＤＭＩ信号を中継する中継装置を介して映像音声表示装置と接続し、他の映像音声表示装置は同じネットワーク内には含まれない構成にしたもので、複数の映像音声表示装置の上流に接続された中継装置間で、物理アドレスを操作して、仮想的な物理アドレス空間を生成し、複数の映像音声表示装置でＣＥＣ機能を利用することを可能とする方法である。
【先行技術文献】
【特許文献】
【００１７】
【特許文献１】特開２００９−２７８２６２号公報
【非特許文献】
【００１８】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ
【発明の概要】
【発明が解決しようとする課題】
【００１９】
しかしながら、前記の方法では従来の技術では、複数の映像音声表示装置から、各中継装置の上流に接続された映像音声信号送信装置をＣＥＣ機能で制御することは可能であるが、映像音声表示装置同士ではＣＥＣ機能を利用し合うことが不可能であるという課題を有していた。
【００２０】
本発明は、前述の課題を解決するためになされたもので、複数の映像音声表示装置が存在するシステム内においても、ＣＥＣネットワーク構築のプロトコルを守りつつ、全映像音声表示装置が「ＴＶ」として動作振る舞いをすることが可能なＣＥＣネットワークを構築し、映像音声表示装置間でもＣＥＣ機能で相互制御を行うことを可能とすることを目的とする。
【課題を解決するための手段】
【００２１】
本発明に係る映像音声中継表示装置は、ＨＤＭＩ規格に準拠した伝送路を介して映像音声信号送信装置と他の映像音声表示装置とに接続され、ＣＥＣ規格に準じた制御を実行する映像音声表示装置であって、自装置と前記映像音声信号送信装置とで構築されるＣＥＣネットワークであるリアルＣＥＣネットワークを構築するリアルＣＥＣネットワーク情報を保存管理するリアルＣＥＣネットワーク情報管理部と、前記リアルＣＥＣネットワークと前記他の映像音声表示装置とで構築されるＣＥＣネットワークであるバーチャルＣＥＣネットワークにおいて用いられ、前記リアルＣＥＣネットワークを構築するリアルＣＥＣネットワーク情報に紐付けされたバーチャルＣＥＣネットワーク情報を保存管理するバーチャルＣＥＣネットワーク情報管理部と前記リアルＣＥＣネットワークおよび前記バーチャルＣＥＣネットワークにおける「ＣＥＣ信号」の処理を行うＨＤＭＩ‐ＣＥＣ処理部とを備え、前記ＨＤＭＩ‐ＣＥＣ処理部は、前記バーチャルネットワークにおける前記他の映像音声表示装置からのコマンドに対して、自装置を動作させる場合はバーチャルＣＥＣネットワーク情報を用いて処理し、前記映像音声信号送信装置を動作させる場合はリアルＣＥＣネットワーク情報を用いて処理する構成を有している。
【発明の効果】
【００２２】
本発明によれば、ＨＤＭＩケーブルで接続された複数の映像音声表示装置が存在する映像音声信号伝送システムにおいて、全映像音声表示装置が「ＴＶ」としてＣＥＣネットワーク上で振舞うことが可能となる。
【図面の簡単な説明】
【００２３】
【図１】本発明の実施の形態における映像音声信号伝送システムの車内での機器接続イメージ図
【図２】本発明の実施の形態における映像音声信号伝送システムの接続ブロック図
【図３】本発明の実施の形態におけるＣＥＣネットワークの構築イメージ図であって、（ａ）は、装置の接続状態を示す図（ｂ）は、リアルＣＥＣネットワークを示す図（ｃ）は、バーチャルＣＥＣネットワークを示す図
【図４】本発明の実施の形態における映像音声中継表示装置１１１の内部システムのブロック図
【図５】本発明の実施の形態における映像音声中継表示装置のＣＥＣネットワーク構築フローチャート
【図６】本発明の実施の形態における映像音声中継表示装置のバーチャルＣＥＣネットワーク情報生成フローチャート
【図７】リアルＣＥＣネットワーク上でのネットワーク情報からバーチャルＣＥＣネットワーク上でのネットワーク情報への変換イメージ図
【図８】バーチャルＣＥＣネットワーク上の装置がＣＥＣコマンドを送信したことを映像音声中継表示装置が検出した時の映像音声中継表示装置の動作フローチャート
【図９】リアルＣＥＣネットワーク上の装置が「ＴＶ」宛のＣＥＣコマンドを送信したことを検出した時の映像音声中継表示装置の動作フローチャート
【図１０】ＣＥＣネットワークの物理アドレスのイメージ図
【図１１】複数台の映像音声表示装置があるＨＤＭＩシステムにおける物理アドレスのイメージ図であって、（ａ）は、装置の接続状態を示す図（ｂ）は、映像音声表示装置１２を頂点とした物理アドレスを示す図（ｃ）は、映像音声表示装置１１を頂点とした物理アドレスを示す図
【図１２】ＣＥＣネットワークの論理アドレスの一覧を示す図
【発明を実施するための形態】
【００２４】
以下、本発明の実施の形態における映像音声信号伝送システム（以後、ＨＤＭＩシステム）について図面を参照しながら説明する。図１は本発明の実施の形態に係わる自動車内で設置されたＨＤＭＩシステムのイメージ図である。図１に示すように、自動車内では、１つの空間内に複数の映像音声表示装置が存在する。
【００２５】
ここで、映像音声表示装置とは、ＴＭＤＳストリームを受信処理し、自装置内の映像表示部（例えば、液晶ディスプレイ）で受信した映像を表示することが可能な装置を指す。図１において、映像音声中継表示装置１１１は、映像音声表示装置としての機能を動作させるとともに、上流に存在する映像音声信号送信装置から受信したＴＭＤＳストリームを、自装置の下流に存在する装置に適したＴＭＤＳストリームへ変換して伝送する中継装置としての機能を動作させるものであり、例えば自動車内のナビゲーションシステムである。
【００２６】
映像音声中継表示装置１１１は、第１の映像音声信号送信装置１２１および第２の映像音声信号送信装置１２２とＨＤＭＩケーブル１３１およびＨＤＭＩケーブル１３２で接続するための入力ポート２系統と、映像音声受信表示装置１１２とＨＤＭＩケーブル１４１で接続するための出力ポート１系統とを有している。
【００２７】
すなわち、映像音声中継表示装置１１１は、自身がＨＤＭＩケーブル１３１やＨＤＭＩケーブル１３２を介して受信したＴＭＤＳストリームを選択し、受信処理して、液晶ディスプレイなどの映像表示部で表示する機能を有すると共に、受信処理しているＴＭＤＳストリームを下流の映像音声受信表示装置１１２に適したＴＭＤＳストリーム変換して、へＨＤＭＩケーブル１４１を介して伝送する中継装置としての役割を有する。
【００２８】
映像音声受信表示装置１１２へ出力するＴＭＤＳストリームは、映像音声受信表示装置１１２が持つＥＤＩＤ内の情報を元に判断する。
【００２９】
映像音声受信表示装置１１２は、自動車内の後部座席用のリアディスプレイである。映像音声受信表示装置１１２は、映像音声中継表示装置１１１が出力するＨＤＭＩ信号をＨＤＭＩケーブル１４１経由で受信処理して、映像表示部で表示する。
【００３０】
第１の映像音声信号送信装置１２１は、自動車内のＢＤ−Ｐ（Ｂｌｕ−ｒａｙ  Ｄｉｓｃ  Ｐｌａｙｅｒ）である。第１の映像音声信号送信装置１２１は、映像音声中継表示装置１１１とＨＤＭＩケーブル１３１で接続され、ＨＤＭＩ信号を出力する。
【００３１】
第２の映像音声信号送信装置１２２は、ＤＳＣ（Ｄｉｇｉｔａｌ  Ｓｔｉｌｌ  Ｃａｍｅｒａ）である。第２の映像音声信号送信装置１２２は、映像音声中継表示装置１１１とＨＤＭＩケーブル１３２で接続され、ＨＤＭＩ信号を出力する。
【００３２】
なお、図１に示す機器は全て、ＣＥＣ機能に対応しているものとする。  図２は、図１
におけるＨＤＭＩシステムを抜き出したブロック図である。また、図２に本実施の形態のＴＭＤＳストリームにおける上流と下流を示す。なお、図２に示す構成の各要素は図１と同一であるため、説明を割愛する。
【００３３】
図３は、図２に示したＨＤＭＩシステムにおいて、本発明を適用した場合のＣＥＣネットワーク構築後の、各装置における論理アドレスと物理アドレスの設定イメージ図である。図３（ａ）に示すように、ＣＥＣネットワークは映像音声中継表示装置１１１を境に分断され、映像音声中継表示装置１１１の上流と下流で異なるＣＥＣネットワークを構築する。
【００３４】
以降、映像音声中継表示装置１１１の上流側で構築するＣＥＣネットワークの名前はリアルＣＥＣネットワーク、下流側で構築するＣＥＣネットワークの名前はバーチャルＣＥＣネットワークと呼ぶ。なお、ＣＥＣネットワークにおける論理アドレスと物理アドレスは、以下、「論理アドレス」［物理アドレス］という表記で表現することとする。
【００３５】
図３（ｂ）に示されるリアルＣＥＣネットワークは、特別な処理は行わずに、従来の方法を用いて映像音声中継表示装置１１１と、第１の映像音声信号送信装置１２１と、第２の映像音声信号送信装置１２２との間で構築されるＣＥＣネットワークである。
【００３６】
従って、リアルＣＥＣネットワークで構築された各アドレスは、映像音声中継表示装置１１１は「ＴＶ」［０．０．０．０］、第１の映像音声信号送信装置１２１は「Ｐｌａｙｂａｃｋ  Ｄｅｖｉｃｅ  １（以後、ＰＤ１）」［１．０．０．０］、第２の映像音声信号送信装置１２２は「Ｐｌａｙｂａｃｋ  Ｄｅｖｉｃｅ  ２（以後、ＰＤ２）」［２．０．０．０］という割り当てになる。よって、リアルＣＥＣネットワーク上では、映像音声中継表示装置１１１は「ＴＶ」として動作することが可能となる。
【００３７】
続いて、図３（ｃ）に示されるバーチャルＣＥＣネットワークは、映像音声中継表示装置１１１と、映像音声受信表示装置１１２との間で構築されるＣＥＣネットワークである。
【００３８】
バーチャルＣＥＣネットワーク上に実在する装置は、映像音声中継表示装置１１１と、映像音声受信表示装置１１２との２台のみであるが、バーチャルＣＥＣネットワークでは映像音声中継表示装置１１１がリアルＣＥＣネットワーク上の装置の役割も仮想的に果たして動作するため、あたかも第１の映像音声信号送信装置１２１や第２の映像音声信号送信装置１２２が存在するかのようなＣＥＣネットワークが構築される。
【００３９】
このとき、映像音声中継表示装置１１１は、ＣＥＣネットワーク上で中継装置となり、その上流に第１の映像音声信号送信装置１２１と第２の映像音声信号送信装置１２２が存在するような物理アドレスの配置にする。
【００４０】
さらにこのとき、第１の映像音声信号送信装置１２１や第２の映像音声信号送信装置１２２の論理アドレスについては特に操作しない。
【００４１】
ただし、映像音声中継表示装置１１１自身は、ネットワーク構築時には、「ＴＶ」としてではなく、中継装置として通知する。
【００４２】
よって、映像音声受信表示装置１１２にとって見かけ上のＣＥＣネットワークは、映像音声受信表示装置１１２は「ＴＶ」［０．０．０．０］、映像音声中継表示装置１１１は「ＳＵ（Ｓｐｅｃｉｆｉｃ  Ｕｓｅ）」［１．０．０．０］となる。
【００４３】
ただし、映像音声中継表示装置１１１は映像音声受信表示装置１１２に対して、ベンダーユニークなＣＥＣコマンドを送信することで、映像音声中継表示装置１１１が「ＴＶ」である旨を通知することにより、映像音声受信表示装置１１２は映像音声中継表示装置１１１が実際には「ＴＶ」に該当する機器であることを把握することが可能となる。
【００４４】
また、仮想的に作り出した（実際にはバーチャルＣＥＣネットワーク上には存在しない）第１の映像音声信号送信装置１２１は「ＰＤ１」［１．１．０．０］、バーチャルな第２の映像音声信号送信装置１２２は「ＰＤ２」［１．２．０．０］という設定になる。
【００４５】
ここで、本発明の重要なポイントであるバーチャルＣＥＣネットワーク構築処理を具体的に説明するために、図４を用いて説明する。
【００４６】
図４は、映像音声中継表示装置１１１の内部のブロック図を示す図である。以下に、図４に示す構成の要素について説明する。
【００４７】
第１のＨＤＭＩ入力ポート２０１は、映像音声中継表示装置１１１に於いて、ＨＤＭＩ規格に準じたケーブルを接続するためのポートである。第１の映像音声信号送信装置１２１は、本ポートとＨＤＭＩケーブル１３１を介して接続される。
【００４８】
同じく、第２のＨＤＭＩ入力ポート２０２は、映像音声中継表示装置１１１に於いて、ＨＤＭＩ規格に準じたケーブルを接続するためのポートである。第２の映像音声信号送信装置１２２は、本ポートとＨＤＭＩケーブル１３２を介して接続される。
【００４９】
ＨＤＭＩ出力ポート２０３は、第１のＨＤＭＩ入力ポート２０１もしくは第２のＨＤＭＩ入力ポート２０２から入力されるＨＤＭＩ信号を、ＨＤＭＩケーブル１４１を介して後段の映像音声受信表示装置１１２へ出力するためのポートである。
【００５０】
ＥＤＩＤ２０４は、第１のＨＤＭＩ入力ポート２０１に接続されるＨＤＭＩケーブル内のＤＤＣライン２５１上に存在し、第１のＨＤＭＩ入力ポート２０１へ接続される第１の映像音声信号送信装置１２１が読み込むＥＤＩＤが格納された部位である。第１の映像音声信号送信装置１２１は、ＥＤＩＤ２０４の情報を読み取り、出力する映像音声フォーマットや、ＣＥＣネットワークにおける自身の物理アドレスを確定する。なお、ＥＤＩＤ２０４に格納されている物理アドレスは［１．０．０．０］である。
【００５１】
ＥＤＩＤ２０５は、第２のＨＤＭＩ入力ポート２０２に接続されるＨＤＭＩケーブル内のＤＤＣライン２５２上に存在し、第２のＨＤＭＩ入力ポート２０２へ接続される第２の映像音声信号送信装置１２２が読み込むＥＤＩＤが格納された部位である。第２の映像音声信号送信装置１２２は、ＥＤＩＤ２０５の情報を読み取り、出力する映像音声フォーマットや、ＣＥＣネットワークにおける自身の物理アドレスを確定する。なお、ＥＤＩＤ２０５に格納されている物理アドレスは［２．０．０．０］である。
【００５２】
システム制御部２１１は、映像音声中継表示装置１１１のシステム全体を制御するための部位であり、例えばＣＰＵ、ＲＯＭ及びＲＡＭを含む集積回路からなる。ＣＰＵは、ＲＯＭに格納されたコンピュータプログラムを、ＲＡＭを作業領域として使いながら実行することで少なくとも前述かつ後述の各部位をコントロールする。
【００５３】
ＨＤＭＩポートスイッチ２２１は、システム制御部２１１に制御され、第１のＨＤＭＩ入力ポート２０１からＴＭＤＳライン２４１を介して入力されるＴＭＤＳストリームと、第２のＨＤＭＩ入力ポート２０２からＴＭＤＳライン２４２を介して入力されるＴＭＤＳストリームのうち、どちらか一方を選択して、ＴＭＤＳライン２４３を介してＨＤＭＩ‐
ＴＭＤＳ受信処理部２２２へＴＭＤＳストリームを伝送する部位である。
【００５４】
ＨＤＭＩ‐ＴＭＤＳ受信処理部２２２は、システム制御部２１１に制御され、ＴＭＤＳライン２４３を介して受信するＴＭＤＳストリームを受信し、映像と音声とに信号を分離し、後段の映像処理部２２３および音声処理部２２４へ伝送する部位である。
【００５５】
ＨＤＭＩ‐ＴＭＤＳ受信処理部２２２から映像信号を受信した映像処理部２２３は、信号を処理し、映像表示部２２５で表示するための映像信号を伝送する部位である。なお、映像処理部２２３はシステム制御部２１１により制御される。
【００５６】
ＨＤＭＩ‐ＴＭＤＳ受信処理部２２２から音声信号を受信した音声処理部２２４は、音声信号を処理し、音声再生部２２６で再生するための音声信号を伝送する部位である。なお、音声処理部２２４はシステム制御部２１１により制御される。
【００５７】
映像表示部２２５は、映像処理部２２３から受信する映像信号を表示する部位である。映像表示部２２５はシステム制御部２１１にて制御される。
【００５８】
音声再生部２２６は、音声処理部２２４から受信する音声信号を出力する部位である。音声再生部２２６はシステム制御部２１１にて制御される。
【００５９】
ＨＤＭＩ‐ＴＭＤＳ送信処理部２２７は、映像信号と音声信号をＨＤＭＩ規格に準拠したＴＭＤＳストリームへ変換してＴＭＤＳライン２４４上に出力する部位である。
【００６０】
ＴＭＤＳライン２４４上に出力するＴＭＤＳストリームは、映像音声受信表示装置１１２に適した映像音声フォーマットに変換される。映像音声受信表示装置１１２に適した映像音声フォーマットは、ＤＤＣライン２５４で映像音声受信表示装置１１２のＥＤＩＤを読み込むことで判断する。ＨＤＭＩ‐ＴＭＤＳ送信処理部２２７は、システム制御部２１１により制御される。
【００６１】
ＨＤＭＩ‐ＣＥＣ処理部２３１は、映像音声中継表示装置１１１において、ＣＥＣ機能を制御管理する部位である。ＨＤＭＩ‐ＣＥＣ処理部２３１が、本発明に於いて重要な役割を果たす。
【００６２】
ＨＤＭＩ‐ＣＥＣ処理部２３１は自装置が関わる２つのＣＥＣネットワーク（すなわち、映像音声中継表示装置１１１の上流に存在するリアルＣＥＣネットワークと、下流に存在するバーチャルＣＥＣネットワーク）のＣＥＣネットワーク情報を管理する役割と、バーチャルＣＥＣネットワーク上でリアルＣＥＣネットワーク上の装置に成りすまして動作する役割と、管理した情報に基づいてＣＥＣライン上でやり取りするコマンドを適宜調整して送信する役割とを果たす。
【００６３】
ここで、ＣＥＣネットワーク情報とは、ＣＥＣ機能を利用するに当たり必要となる論理アドレスおよび物理アドレスのほか、ＣＥＣ機能でやり取りする上で必要な情報（例えば、アクティブデバイス情報、ベンダーＩＤなど）である。
【００６４】
ＨＤＭＩ‐ＣＥＣ処理部２３１には、リアルＣＥＣネットワークに繋がるＣＥＣライン２６３と、バーチャルＣＥＣネットワークに繋がるＣＥＣライン２６４とがある。
ＣＥＣライン２６３は、ＣＥＣライン２６１及びＣＥＣライン２６２とつながり、それぞれ第１のＨＤＭＩ入力ポート２０１および第２のＨＤＭＩ入力ポート２０２を介して第１の映像音声信号送信装置１２１や第２の映像音声信号送信装置１２２と接続される。
【００６５】
ここでＣＥＣはバス通信であるため、ＣＥＣライン２６１〜２６３は互いに繋がっており、同一ラインと見なすことができるが、説明の便宜上区別して記載する。
【００６６】
ＣＥＣライン２６４は、ＨＤＭＩ出力ポート２０３へと接続され、ＨＤＭＩケーブル１４１を介して映像音声受信表示装置１１２と接続される。
【００６７】
ＣＥＣコマンドの送受信処理は、リアルＣＥＣネットワークとバーチャルＣＥＣネットワーク共に、ＨＤＭＩ‐ＣＥＣ処理部２３１が行う。
【００６８】
もし、あるネットワーク上の機器が、もう一方のネットワーク上に存在する機器宛に、ＣＥＣコマンドを送信した場合、ＨＤＭＩ‐ＣＥＣ処理部２３１にて、受信したＣＥＣコマンドの内容を処理し、送信相手機器の存在するネットワーク情報に合わせたＣＥＣコマンドを生成して送信する。
【００６９】
リアルＣＥＣネットワーク側の情報は、ＨＤＭＩ‐ＣＥＣ処理部２３１により、リアルＣＥＣネットワーク情報としてリアルＣＥＣネットワーク管理部２３２にて管理される。管理される情報とは、具体的にはリアルＣＥＣネットワーク上に存在する各機器の論理アドレス、物理アドレスを少なくとも含む。
【００７０】
また、バーチャルＣＥＣネットワークの情報はＨＤＭＩ‐ＣＥＣ処理部２３１により、バーチャルＣＥＣネットワーク情報としてバーチャルＣＥＣネットワーク管理部２３３にて管理される。
【００７１】
ここで管理される情報とは、具体的には、バーチャルＣＥＣネットワーク上での自装置の物理アドレスや論理アドレスの他、バーチャルＣＥＣネットワーク上に存在する機器（例えば映像音声受信表示装置１１２）の各アドレス設定値、リアルＣＥＣネットワークの情報をバーチャルＣＥＣネットワークに適用（操作）したアドレス設定値などを少なくとも含む。
【００７２】
このとき、リアルＣＥＣネットワークの情報と、バーチャルＣＥＣネットワークの情報は紐付けしておく（すなわち、バーチャルＣＥＣネットワークに適用した元のアドレスを関連付けしておく）。
【００７３】
なお、自装置のバーチャルＣＥＣネットワーク上での物理アドレス値は、ＨＤＭＩ‐ＴＭＤＳ送信処理部２２７が映像音声受信表示装置１１２のＥＤＩＤから読み込んだ情報を、システム制御部２１１を介して取得する。
【００７４】
上記の様に構成されたＨＤＭＩシステムについて、ＣＥＣネットワークの構築の方法を図５、図６を用いて説明する。
【００７５】
図５は本発明の実施の形態におけるＨＤＭＩシステムに於いて、映像音声中継表示装置１１１がリアルＣＥＣネットワークとバーチャルＣＥＣネットワークとを構築するときの動作フローを示すフローチャートである。
【００７６】
図６は、映像音声中継表示装置１１１がリアルＣＥＣネットワーク上の機器をバーチャルＣＥＣネットワーク上へ仮想的に存在させるために、ＣＥＣネットワーク情報を生成するときの動作フローを示すフローチャートである。
【００７７】
映像音声中継表示装置１１１がリアルＣＥＣネットワークとバーチャルＣＥＣネットワークとを構築する場合の動作フローを図５のフローチャートを用いて説明する。
【００７８】
映像音声中継表示装置１１１は、自装置の起動後もしくは新規機器が接続されたことを検出した場合に、ＣＥＣネットワークの構築処理を開始する（ステップＳ１０１）。
ＣＥＣネットワークの構築処理を開始した映像音声中継表示装置１１１において、ＨＤＭＩ‐ＣＥＣ処理部が以下の処理を実行する。
【００７９】
すなわち、はじめにリアルＣＥＣネットワークに新規機器が接続されているか否かを判断する（ステップＳ１０２）。
【００８０】
リアルＣＥＣネットワーク上に新規機器の接続がある場合は、ステップＳ１０３へ進み、リアルＣＥＣネットワーク上に新規機器の接続が無い場合は、ステップＳ１０５へ進む。
【００８１】
新規機器が接続されたと判断した場合は、新規で接続された機器に対してリアルＣＥＣネットワーク構築処理を行う（ステップＳ１０３）。
【００８２】
リアルＣＥＣネットワークは、映像音声中継表示装置１１１と、第１の映像音声信号送信装置１２１、第２の映像音声信号送信装置１２２との間で構築されるＣＥＣネットワークである。本ステップで、映像音声中継表示装置１１１、第１の映像音声信号送信装置１２１、第２の映像音声信号送信装置１２２のリアルＣＥＣネットワーク上での論理アドレスと物理アドレスが決定する。
【００８３】
なお、リアルＣＥＣネットワーク上での映像音声中継表示装置１１１の論理アドレスおよび物理アドレスは、「ＴＶ」［０．０．０．０］となる。
【００８４】
また、第１の映像音声信号送信装置１２１は「ＰＤ１」［１．０．０．０］、第２の映像音声信号送信装置１２２は「ＰＤ２」［２．０．０．０］である。
【００８５】
映像音声中継表示装置１１１は、リアルＣＥＣネットワーク情報（すなわち、ステップＳ１０３にて取得した映像音声中継表示装置１１１と、第１の映像音声信号送信装置１２１と、第２の映像音声信号送信装置１２２との、論理アドレスと物理アドレス）を、リアルＣＥＣネットワーク管理部２３２にて取得、保持する（ステップＳ１０４）。
【００８６】
続いて映像音声中継表示装置１１１は、バーチャルＣＥＣネットワーク上に映像音声受信表示装置１１２が存在するか否かを判断する（ステップＳ１０５）。
【００８７】
本ステップでは、どの段階で映像音声受信表示装置１１２が接続されたかは判断せず、現在のバーチャルＣＥＣネットワーク上に映像音声受信表示装置１１２が存在するか否かを判断する。
【００８８】
映像音声受信表示装置１１２が存在する場合は、ステップＳ１０６へ進み、存在しない場合は、ステップＳ１０９へ進む。
【００８９】
映像音声中継表示装置１１１は、映像音声受信表示装置１１２が接続されていると判断した場合、続いてバーチャルＣＥＣネットワーク上での自装置（映像音声中継表示装置１１１）のＣＥＣネットワーク情報が決定しているか否かを判断する（ステップＳ１０６）。
【００９０】
未決定の場合は、ステップＳ１０７へ進み、決定済みの場合は、ステップＳ１０９へ進む。
【００９１】
バーチャルＣＥＣネットワーク上での自装置（映像音声中継表示装置１１１）のＣＥＣネットワーク情報が未決定であると判断した場合、映像音声受信表示装置１１２に対して、バーチャルＣＥＣネットワークの構築を促す処理（例えば、５Ｖ−Ｐｏｗｅｒを一旦ＯＦＦにするなど）を行う（ステップＳ１０７）。
【００９２】
ステップＳ１０７により、映像音声受信表示装置１１２はバーチャルＣＥＣネットワーク上に存在する新規機器のネットワーク情報の構築を行う（ステップＳ１０８）。本ステップにより、映像音声中継表示装置１１１は、バーチャルＣＥＣネットワーク上での自装置のネットワーク情報を取得する。
【００９３】
ここで、バーチャルＣＥＣネットワーク上では、映像音声中継表示装置１１１は、「ＴＶ」としてではなく、「Ｓｐｅｃｉｆｉｃ  Ｕｓｅ（以後、ＳＵ）」の機器として、仮想的に論理アドレスを取得する。
【００９４】
ただし、「ＳＵ」では映像音声中継表示装置１１１は映像音声受信表示装置１１２に対して「ＴＶ」として振舞うことが出来ないため、映像音声中継表示装置１１１、映像音声受信表示装置１１２間に於いて、互いに「ＴＶ」として振舞うために、ステップＳ１０９、ステップＳ１１０の処理に進む。
【００９５】
なお、バーチャルＣＥＣネットワーク上における映像音声中継表示装置１１１の物理アドレスは、映像音声受信表示装置１１２のＥＤＩＤを読み込んだシステム制御部２１１を介して取得する。
【００９６】
バーチャルＣＥＣネットワーク上での自装置のネットワーク情報を取得した映像音声中継表示装置１１１は、現在バーチャルＣＥＣネットワーク上で「ＴＶ」の情報を取得している映像音声受信表示装置１１２に対して、自装置が「ＴＶ」であることを通知済みか否かを判断する（ステップＳ１０９）。
【００９７】
映像音声中継表示装置１１１が「ＴＶ」であると映像音声受信表示装置１１２に通知していない場合は、ステップＳ１１０へ進み、既に「ＴＶ」であると通知済みな場合は、ステップＳ１１１へ進む。
【００９８】
映像音声中継表示装置１１１が「ＴＶ」であることを映像音声受信表示装置１１２に通知していない場合、映像音声中継表示装置１１１は、映像音声受信表示装置１１２に対して、自装置が「ＴＶ」であるという旨をＣＥＣコマンドで通知する（ステップＳ１１０）。
【００９９】
続いて、映像音声中継表示装置１１１は、ＣＥＣネットワーク構築開始（ステップＳ１０１）後に、新規でリアルＣＥＣネットワークを構築（ステップＳ１０３）し、かつその情報を元にバーチャルＣＥＣネットワークの情報生成を行ったかを判断する（ステップＳ１１１）。リアルＣＥＣネットワーク構築後に、バーチャルＣＥＣネットワークの情報生成を行っていない場合は、ステップＳ１１２へ進み、既に生成済みの場合はステップＳ１１５へ進む。
【０１００】
映像音声中継表示装置１１１は、リアルＣＥＣネットワークの情報を元に、バーチャルＣＥＣネットワークに適したバーチャルＣＥＣネットワーク情報を生成する（ステップＳ１１２）。
【０１０１】
ここで、ステップＳ１１２における、バーチャルＣＥＣネットワーク情報の生成の流れ
、すなわち、バーチャルＣＥＣネットワーク上における映像音声中継表示装置１１１のＣＥＣネットワーク情報と、リアルＣＥＣネットワーク情報とを組み合わせてバーチャルＣＥＣネットワーク情報を生成する処理フローを図６を用いて説明する。
【０１０２】
バーチャルＣＥＣネットワーク情報の生成を開始（ステップＳ１１２−１）した映像音声中継表示装置１１１は、リアルＣＥＣネットワーク上の機器で、バーチャルＣＥＣネットワーク情報へ変換する対象の機器を選択する（ステップＳ１１２−２）。
【０１０３】
変換対象の機器は、リアルＣＥＣネットワーク上における論理アドレスが若い順に選択する。
【０１０４】
本実施の形態では、第１の映像音声信号送信装置１２１を対象として選択する（なぜならば、第１の映像音声信号送信装置１２１の論理アドレスは「ＰＤ１（０ｘ４）」に対して、第２の映像音声信号送信装置１２２の論理アドレスは「ＰＤ２（０ｘ８）」であるため）。
【０１０５】
続いて、映像音声中継表示装置１１１は、変換対象の機器におけるリアルＣＥＣネットワーク上の物理アドレスの段数Ｎを確認する（ステップＳ１１２−３）。
【０１０６】
本実施の形態において、第１の映像音声信号送信装置１２１の場合、リアルＣＥＣネットワーク上での物理アドレスは［１．０．０．０］であることから、Ｎ＝１である。
【０１０７】
続いて、映像音声中継表示装置１１１は、バーチャルＣＥＣネットワーク上における自装置の物理アドレスの段数Ｍを確認する（ステップＳ１１２−４）。本実施の形態において、映像音声中継表示装置１１１のバーチャルＣＥＣネットワーク上での物理アドレスは［１．０．０．０］であることから、Ｍ＝１である。
【０１０８】
Ｎの値とＭの値を確認した映像音声中継表示装置１１１は、ＮとＭの和を計算し、その値が４より小さいか否かを判断する（ステップＳ１１２−５）。
【０１０９】
Ｎ＋Ｍの値が４より小さい場合はステップＳ１１２−６へ、大きい場合はステップＳ１１２−８へ進む。本実施の形態では、Ｎ＝１、Ｍ＝１より、Ｎ＋Ｍは２となるため、ステップＳ１１２−６へ進む。
【０１１０】
Ｎ＋Ｍの値が４より小さい場合、映像音声中継表示装置１１１は、バーチャルＣＥＣネットワーク上での自装置の物理アドレスの下部（自装置の存在する段数の下の段）に、変換対象機器のリアルＣＥＣネットワーク上における物理アドレスを結合する（ステップＳ１１２−６）。
【０１１１】
ここで、ステップＳ１１２−６の物理アドレスの結合について図７を利用して説明する。図７は、映像音声中継表示装置１１１、映像音声受信表示装置１１２、第１の映像音声信号送信装置１２１、第２の映像音声信号送信装置１２２の、リアルＣＥＣネットワーク上での論理アドレス及び物理アドレスと、バーチャルＣＥＣネットワーク上での論理アドレス及び物理アドレスとをそれぞれ示したものである。
【０１１２】
例えば、本実施の形態において第１の映像音声信号送信装置１２１のバーチャルＣＥＣネットワーク上での物理アドレスを生成する場合、映像音声中継表示装置１１１の物理アドレス［１．０．０．０］の２段目以降に、第１の映像音声信号送信装置１２１のリアルＣＥＣネットワーク上での物理アドレス［１．０．０．０］を結合する。すなわち、［１．１．０．０．０］となる。
【０１１３】
ここで、物理アドレスは最大４段までという制約があるため、映像音声中継表示装置１１１は、溢れた５段目以降の物理アドレス情報を削除する（すなわち、［１．１．０．０］となる）。
【０１１４】
なお、リアルＣＥＣネットワーク上の機器情報を、バーチャルＣＥＣネットワーク上の情報へ変換する場合、論理アドレスは変更されない（すなわち、第１の映像音声信号送信装置１２１は、リアルＣＥＣネットワーク上においても、バーチャルＣＥＣネットワーク上においても、「ＰＤ１」である）。
【０１１５】
上記の手順で、映像音声中継表示装置１１１は、第１の映像音声信号送信装置１２１のバーチャルＣＥＣネットワーク上でのネットワーク情報（すなわち、「ＰＤ１」［１．１．０．０］）を生成する。
【０１１６】
ステップＳ１１２−６で生成された情報は、バーチャルＣＥＣネットワーク管理部２３３にて管理及び保持される（ステップＳ１１２−７）。
【０１１７】
続いて、映像音声中継表示装置１１１は、リアルＣＥＣネットワーク情報を元に、バーチャルＣＥＣネットワーク情報を生成する対象の機器があるか否かを判断する（ステップＳ１１２−８）。
【０１１８】
あると判断した場合は、ステップＳ１１２−３へ戻り、前述の処理を繰り返す。無いと判断した場合は、Ｓ１１２−９へ進む。
【０１１９】
なお、同様の処理を行うことにより、映像音声中継表示装置１１１は、第２の映像音声信号送信装置１２２のバーチャルＣＥＣネットワーク上での情報（すなわち、「ＰＤ２」［１．２．０．０］）を生成する。
【０１２０】
全変換対象の機器に対して、バーチャルＣＥＣネットワークでの情報生成が完了した場合、映像音声中継表示装置１１１は、バーチャルＣＥＣネットワーク情報生成処理を完了する（ステップＳ１１２−９）。
【０１２１】
ここからは再び図６を利用して説明を続ける。リアルＣＥＣネットワーク上の機器をバーチャルＣＥＣネットワーク上の情報に変換適用した映像音声中継表示装置１１１は、映像音声受信表示装置１１２に対して、バーチャルＣＥＣネットワークの構築開始を促す処理（例えば、５Ｖ−Ｐｏｗｅｒを一旦ＯＦＦにするなど）を行う（ステップＳ１１３）。
【０１２２】
ステップＳ１１３により、映像音声受信表示装置１１２はバーチャルＣＥＣネットワーク上に存在する新規機器のネットワーク情報構築を開始する（ステップＳ１１４）。本ステップにおいて、映像音声中継表示装置１１１は、バーチャルＣＥＣネットワーク管理部３３２に保持している情報を元に、バーチャルＣＥＣネットワーク構築処理を行う。
【０１２３】
すなわち、映像音声中継表示装置１１１が、あたかも第１の映像音声信号送信装置１２１および第２の映像音声信号送信装置１２２でもあるかのように成りすます。
【０１２４】
この場合、映像音声受信表示装置１１２からは、映像音声中継表示装置１１１の下に第１の映像音声信号送信装置１２１と第２の映像音声信号送信装置１２２が接続されているかのように見える（図３参照）。
【０１２５】
構築したバーチャルＣＥＣネットワークの情報をバーチャルＣＥＣネットワーク管理部
２３３にて管理保持する（ステップＳ１１５）。
【０１２６】
前述の処理により、映像音声中継表示装置１１１は、ＣＥＣネットワークの構築処理を完了する（ステップＳ１１６）。
【０１２７】
本実施の形態の処理のようにＣＥＣネットワークを構築することにより、映像音声中継表示装置１１１と、映像音声受信表示装置１１２の両装置が、「ＴＶ」としてＣＥＣネットワーク上で動作することが可能となり、かつ映像音声表示装置同士でのＣＥＣ機能の利用が可能となる。
【０１２８】
本実施の形態における、ＣＥＣ機能の実動作について図８、図９を用いて説明する。
図８は、バーチャルＣＥＣネットワーク上の装置からＣＥＣコマンドが送信されたことを、映像音声中継表示装置１１１が検出した時の映像音声中継表示装置１１１の動作フローチャートである。
【０１２９】
また、図９はリアルＣＥＣネットワーク上の装置から自装置宛（「ＴＶ」宛）へのＣＥＣコマンドが送信されたことを、映像音声中継表示装置１１１が検出した時の映像音声中継表示装置１１１の動作フローチャートである。
【０１３０】
なお、映像音声中継表示装置１１１から映像音声受信表示装置１１２宛へのＣＥＣコマンド送信処理及び、映像音声中継表示装置１１１からリアルＣＥＣネットワーク上の装置へのＣＥＣコマンド送信処理については、従来技術におけるＣＥＣコマンド処理と同様であるため、フローチャート及び説明は割愛する。
【０１３１】
まず、図８を利用して、バーチャルＣＥＣネットワーク上の装置がＣＥＣコマンドを送信したことを映像音声中継表示装置１１１が検出した場合の処理について説明する。
バーチャルＣＥＣネットワーク上の映像音声受信表示装置１１２が、バーチャルＣＥＣネットワーク上の第１の映像音声信号送信装置１２１宛へＣＥＣコマンドを送信した時（ステップＳ２０１）、映像音声中継表示装置１１１は、バーチャルＣＥＣネットワーク上でＣＥＣコマンドが送信されたことを検出する（ステップＳ２０２）。
【０１３２】
バーチャルＣＥＣネットワーク上のＣＥＣコマンドを検出した映像音声中継表示装置１１１は、該当のＣＥＣコマンドが自装置宛（ブロードキャスト含む）のコマンドか否かを判断する（ステップＳ２０３）。自装置宛のＣＥＣコマンドであった場合はステップＳ２１１の処理へ進み、自装置宛のＣＥＣコマンドでは無い場合は、ステップＳ２０４の処理へ進む。
【０１３３】
自装置宛のＣＥＣコマンドであると判断した場合、映像音声中継表示装置１１１は、該当コマンドについて受信処理を行う（ステップＳ２１１）。ＣＥＣコマンドの受信処理については、従来技術と同様の処理となるため、説明を割愛するが、このように映像音声表示装置同士でのＣＥＣ機能の利用が可能となる。
【０１３４】
自装置宛のＣＥＣコマンドの受信処理を完了した映像音声中継表示装置１１１は、処理したＣＥＣコマンドがブロードキャストのＣＥＣコマンドか否かを判断する（ステップＳ２１２）。該当のＣＥＣコマンドがブロードキャストの場合はステップＳ２１３へ進み、ブロードキャストで無い場合は、ステップＳ２１０へ進む。
【０１３５】
ＣＥＣコマンドがブロードキャストであった場合、映像音声中継表示装置１１１は、該当のコマンドの送信元を自装置としてリアルＣＥＣネットワーク上に適応したＣＥＣコマンドを生成する（ステップＳ２１３）。すなわち、送信元の論理アドレスを「ＴＶ」にし
、かつＣＥＣコマンド内のパラメータについてもリアルＣＥＣネットワークの情報に合わせて生成する。ＣＥＣコマンドの生成を完了した映像音声中継表示装置１１１は、ステップＳ２０９へ進む。
【０１３６】
ところで、ステップＳ２０３にて、自装置宛のＣＥＣコマンドでないと判断した場合、映像音声中継表示装置１１１は続いて該当のＣＥＣコマンドが、自装置の上流のリアルＣＥＣネットワーク上の装置宛のＣＥＣコマンドであるか否かを判断する（ステップＳ２０４）。自装置の上流のリアルＣＥＣネットワークの装置宛である場合は、ステップＳ２０５の処理へ進み、異なる場合はステップＳ２１０の処理へ進む。
【０１３７】
なお、自装置の上流の装置宛のＣＥＣコマンドを検出した場合の例では、説明を分かりやすくするために、＜Ｓｅｔ  Ｓｔｒｅａｍ  Ｐａｔｈ（以後、ＳＳＰと呼ぶ）＞と呼ばれるＣＥＣコマンドを映像音声受信表示装置１１２が第１の映像音声信号送信装置１２１宛に送信したと想定して説明する。＜ＳＳＰ＞と呼ばれるＣＥＣコマンド内には、送信相手の物理アドレスがパラメータとして含まれている。
【０１３８】
自装置の上流の装置宛のＣＥＣコマンド受信を検出した時には、映像音声中継表示装置１１１は、まずは自装置がＣＥＣコマンドのあて先の装置に成り代わって受信応答を応答する（ステップＳ２０５）。
【０１３９】
受信応答後、映像音声中継表示装置１１１は、受信検出したＣＥＣコマンドを解析し、リアルＣＥＣネットワーク上へＣＥＣコマンドを送信する場合に、ＣＥＣコマンド内のパラメータ情報を変更する必要があるか否かを判断する（ステップＳ２０６）。
ＣＥＣコマンド内のパラメータ情報を変更する必要がある場合は、ステップＳ２０７の処理へ進み、変更する必要が無い場合は、ステップＳ２０９へ進む。
例えば、＜ＳＳＰ＞にはパラメータに物理アドレスが含まれている。バーチャルＣＥＣネットワーク上での＜ＳＳＰ＞に含まれる物理アドレスは、バーチャルＣＥＣネットワーク上の第１の映像音声信号送信装置１２１の物理アドレスとなるため、［１．１．０．０］がＣＥＣコマンドに入っている。
【０１４０】
これに対して、リアルＣＥＣネットワーク上に＜ＳＳＰ＞を送信する場合、第１の映像音声信号送信装置１２１の物理アドレスは［１．０．０．０］であるため、パラメータ値が一致しない。
【０１４１】
よって、本実施例に於いては、ＣＥＣコマンド内のパラメータ情報を変更する必要があり、ステップＳ２０７へ進む。
【０１４２】
ＣＥＣコマンドのパラメータ情報の変更が必要だと判断した映像音声中継表示装置１１１は、リアルＣＥＣネットワーク管理部２３２とバーチャルＣＥＣネットワーク管理部２３３を参照し、変更が必要な情報を取得する（ステップＳ２０７）。
【０１４３】
例えば、本例に於いては、＜ＳＳＰ＞に含まれるパラメータの物理アドレスを読み取り、バーチャルＣＥＣネットワーク上での物理アドレスが［１．１．０．０］の装置を判断し、該当の装置のリアルＣＥＣネットワーク上での物理アドレス［１．０．０．０］を取得する。
【０１４４】
取得した情報を元に、映像音声中継表示装置１１１は、ＣＥＣコマンドを生成する（ステップＳ２０８）。
【０１４５】
本実施例では、送信元を自装置（すなわち「ＴＶ」）にし、かつＣＥＣコマンドで変更
が必要なパラメータをステップＳ２０７で取得した情報と入れ替える（すなわち物理アドレスを［１．１．０．０］から［１．０．０．０］へと入れ替える）。
【０１４６】
続いて、映像音声中継表示装置１１１は、リアルＣＥＣネットワーク上へＣＥＣコマンドを送信する（ステップＳ２０９）。
【０１４７】
以上の処理を持って、バーチャルＣＥＣネットワーク上の装置がＣＥＣコマンドを送信したことを映像音声中継表示装置１１１が検出した場合の処理は完了する（ステップＳ２１０）。
【０１４８】
図８の動作フローを行うことにより、映像音声表示装置同士でのＣＥＣ機能の利用が可能となる。また、バーチャルＣＥＣネットワーク上の装置から、リアルＣＥＣネットワーク上の装置とのＣＥＣ機能のやり取りも可能となる。
【０１４９】
続いて、リアルＣＥＣネットワーク上の装置から、自装置宛（「ＴＶ」宛）のＣＥＣコマンドを受信した場合の、映像音声中継表示装置１１１の動作処理について図９を利用して説明する。
【０１５０】
説明を分かりやすくするために、＜Ａｃｔｉｖｅ  Ｓｏｕｒｃｅ（以後、ＡＳ）＞と呼ばれるＣＥＣコマンドを、第１の映像音声信号送信装置１２１から映像音声中継表示装置１１１宛へ送信したと想定して説明する。＜ＡＳ＞と呼ばれるＣＥＣコマンド内には、送信元（本実施例では第１の映像音声信号送信装置１２１）の物理アドレスがパラメータとして含まれている。
【０１５１】
リアルＣＥＣネットワーク上の第１の映像音声信号送信装置１２１が、映像音声中継表示装置１１１宛へＣＥＣコマンドを送信した時（ステップＳ３０１）、映像音声中継表示装置１１１は、自装置宛のＣＥＣコマンドを受信したことを検出する（ステップＳ３０２）。
【０１５２】
ここで、映像音声中継表示装置１１１は、自装置の下流にあるバーチャルＣＥＣネットワーク上に、「ＴＶ」に該当する装置があるか否かを判断する（ステップＳ３０３）。バーチャルＣＥＣネットワーク上に「ＴＶ」がある場合はステップＳ３０４へ進み、無い場合はステップＳ３０７へ進む。
【０１５３】
バーチャルＣＥＣネットワーク上に「ＴＶ」があると判断した場合、映像音声中継表示装置１１１は、バーチャルＣＥＣネットワーク管理部２３３からＣＥＣコマンドに必要な情報を取得する（ステップＳ３０４）。
【０１５４】
例えば、本実施例では＜ＡＳ＞内のパラメータである第１の映像音声信号送信装置１２１の物理アドレスが対象となる。この場合、受信した＜ＡＳ＞内の物理アドレスは、リアルＣＥＣネットワーク上の値となるため、［１．０．０．０］となる。
【０１５５】
よって、バーチャルＣＥＣネットワーク上にＣＥＣコマンドを送信するためにはＣＥＣコマンドの変更が必要となる。
【０１５６】
そこで、映像音声中継表示装置１１１は、第１の映像音声信号送信装置１２１のバーチャルＣＥＣネットワーク内での物理アドレス（すなわち、［１．１．０．０］）をバーチャルＣＥＣネットワーク管理部２３３から取得する。
【０１５７】
ステップＳ３０４で取得した情報を元に、映像音声中継表示装置１１１は、バーチャル
ＣＥＣネットワークに適用したＣＥＣコマンドを生成する（ステップＳ３０５）。
【０１５８】
続いて、映像音声中継表示装置１１１はバーチャルＣＥＣネットワーク上に存在している装置のうち、「ＴＶ」と認識している全装置に対してＣＥＣコマンドを送信する（ステップＳ３０６）。
【０１５９】
本処理により、バーチャルＣＥＣネットワーク上の全「ＴＶ」と、第１の映像音声信号送信装置１２１との間でＣＥＣ機能を利用することが可能となる。
【０１６０】
最後に、映像音声中継表示装置１１１自身が受信したＣＥＣコマンドに対して処理を行う（ステップＳ３０７）。
【０１６１】
以上を持って、リアルＣＥＣネットワーク上の装置から、自装置宛（「ＴＶ」宛）のＣＥＣコマンドを受信した場合の、映像音声中継表示装置１１１の動作処理が完了する（ステップＳ３０８）。
【０１６２】
上記の様に、本実施の形態により、複数の映像音声表示装置同士でのＣＥＣ機能の利用が可能となる。
【０１６３】
以上説明したとおり、本発明に係る映像音声中継表示装置は、映像音声信号送信装置と映像音声受信表示装置とＨＤＭＩ規格に準拠した伝送路で接続され、双方とＣＥＣ規格に準じた制御を行える映像音声中継表示装置を対象としている。
【０１６４】
そして、前記映像音声信号送信装置との間で構築する自装置を中心としたＣＥＣネットワークの情報（すなわち、リアルＣＥＣネットワーク情報）を保存管理する手段と、前記保存管理したリアルＣＥＣネットワーク情報を元に、前記映像音声受信表示装置との間で構築する映像音声受信表示装置を中心としたＣＥＣネットワークであるバーチャルＣＥＣネットワークの情報を生成する手段と、前記生成したバーチャルＣＥＣネットワーク情報を元に、バーチャルＣＥＣネットワークを構築する手段と、前記リアルＣＥＣネットワーク情報と前記バーチャルＣＥＣネットワーク情報を元にＣＥＣ規格に準じた制御を管理処理する手段とを備えるようにしたものである。
【０１６５】
本発明においてＨＤＭＩシステムの制御方法は、映像音声信号送信装置と、映像音声受信表示装置との間で構築するＣＥＣネットワークを分断し、一方のネットワーク情報に他方のネットワーク情報を反映させる方法を対象としている。
【０１６６】
そして、映像音声中継表示装置を中心としたＣＥＣネットワークを構築する第一の工程と、映像音声受信表示装置を中心としたＣＥＣネットワーク上での映像音声中継表示装置の場所を取得する第二の工程と、映像音声中継表示装置を中心としたＣＥＣネットワーク情報を、映像音声受信表示装置を中心としたＣＥＣネットワーク上に当てはめて生成する第三の工程と、生成したＣＥＣネットワーク情報を利用して映像音声受信表示装置を中心としたＣＥＣネットワークを構築する第四の工程と、映像音声信中継表示装置を中心として構築したＣＥＣネットワーク情報と、映像音声受信表示装置を中心として構築したＣＥＣネットワーク情報とを参照し、ＣＥＣコマンド内に含まれる送信元および送信先の機器のデータを各々のＣＥＣネットワーク情報に合わせて操作する第五の工程とを備えたものである。
【０１６７】
更には、異なるＣＥＣネットワーク上の装置同士でも、映像音声中継表示装置１１１が中間で相互のＣＥＣネットワーク情報を管理処理することにより、ＣＥＣ機能を利用することが可能である。
【０１６８】
また、本実施の形態を用いた場合、従来の技術では全映像音声表示装置の上流に無線中継装置が必要であったが、本実施の形態では不要であるため、システム全体の装置数を減らし、簡素化することが可能となる。
【０１６９】
本実施の形態は特に、複数の映像音声表示装置と、任意の数の映像音声信号送信装置とが接続されるシステムにおいて、ＣＥＣによる各機器間制御を行う場合に、全ての映像音声表示装置が「ＴＶ」として振舞い、かつ映像音声表示装置間でもＣＥＣによるコントロールを互いに実現することが有用なシステム、例えば車載映像音声伝送システムにおいて有用である。
【０１７０】
なお、本発明は上述の内容に限定されず、実施段階ではその要旨を逸脱しない範囲で構成要素を変化して具体化することができる。
【０１７１】
例えば、本実施の形態においては、映像音声中継表示装置と映像音声受信表示装置は各々１台のみという設定であるが、これに限定されず、ＣＥＣネットワークの制約を逸脱しない範囲で、任意の台数を接続しても良い。例えば、映像音声中継表示装置を縦列に複数台接続しても良い。また、子映像音声信装置を映像音声中継表示装置の下流に並列で複数台設置しても良い。
【０１７２】
また、「ＴＶ」同士でＣＥＣによる制御を行う場合、固体識別する方法を用いても良い。例えば、「ＴＶ」通知の際に、ＩＤを付与して送信することにより、映像音声中継表示装置や映像音声受信表示装置を識別できるようになり、各々を単体で制御することが可能となる。
【０１７３】
また、本実施の形態においては、映像音声中継表示装置１１１がバーチャルＣＥＣにおける自装置の情報を取得する方法として、映像音声受信表示装置１１２に対してバーチャルＣＥＣネットワークの構築を促してから取得する方法（すなわち、ステップＳ１０７およびステップＳ１０８）を用いているが、本方法に限定されるものではない。例えば、図６のフローチャートのうち、ステップＳ１０６〜Ｓ１０８の処理は省略し、映像音声受信表示装置１１２のＥＤＩＤから映像音声中継表示装置１１１のバーチャルＣＥＣネットワーク上における物理アドレスを取得しておき、ステップＳ１１４の段階で初めて、自装置の論理アドレスを取得するという方法でも良い。
【０１７４】
また、本実施の形態においては、発明の効果を得られる範囲で、ここに開示されている複数の構成要素を適宜に組み合わせることにより、発明を形成することができる。
【０１７５】
例えば、本実施の形態では、リアルＣＥＣネットワーク管理部２３２と、バーチャルＣＥＣネットワーク管理部２３３は管理部を分けているが、これに限定されず、同一の管理部でリアルＣＥＣネットワークの情報とバーチャルＣＥＣネットワークの情報を管理するという方法でもよい。
【産業上の利用可能性】
【０１７６】
以上のように本発明に係る映像音声伝送システムおよび映像音声表示装置は、１つの伝送システム内に複数台の映像音声表示装置が接続されることが想定されるシステムでＣＥＣによる機器間相互制御を行う場合に於いて好適である。
【符号の説明】
【０１７７】
１１１  映像音声中継表示装置
１１２  映像音声受信表示装置
１２１  第１の映像音声信号送信装置
１２２  第２の映像音声信号送信装置
１３１〜１３２、１４１  ＨＤＭＩケーブル
２０１〜２０２  ＨＤＭＩ入力ポート
２０３  ＨＤＭＩ出力ポート
２０４〜２０５  ＥＤＩＤ
２１１  システム制御部
２２１  ＨＤＭＩポートスイッチ
２２２  ＨＤＭＩ‐ＴＭＤＳ受信処理部
２２３  映像処理部
２２４  音声処理部
２２５  映像表示部
２２６  音声再生部
２２７  ＨＤＭＩ‐ＴＭＤＳ送信処理部
２３１  ＨＤＭＩ‐ＣＥＣ処理部
２３２  リアルＣＥＣネットワーク管理部
２３３  バーチャルＣＥＣネットワーク管理部
２４１〜２４４  ＴＭＤＳライン
２５１〜２５４  ＤＤＣライン
２６１〜２６４  ＣＥＣライン
【図１】
2012070231.tif 000003
【図２】
2012070231.tif 000004
【図３】
2012070231.tif 000005
【図４】
2012070231.tif 000006
【図５】
2012070231.tif 000007
【図６】
2012070231.tif 000008
【図７】
2012070231.tif 000009
【図８】
2012070231.tif 000010
【図９】
2012070231.tif 000011
【図１０】
2012070231.tif 000012
【図１１】
2012070231.tif 000013
【図１２】
2012070231.tif 000014